(57)【要約】  【課題】建設機械に搭載するタンクの強度を十分効果的に増加させ、リブの溶接をできる限り減少してコストアップを抑止するとともに、信頼性を向上させる。  【解決手段】建設機械に搭載されるタンク１１の三つの側面１２，１３，１４に、面の上端部から下端部にわたりそれぞれ連続して凹部１２ａ，１３ａ，１４ａを形成し、残りの側面１６の内壁にリブ１６ａを溶着する。【選択図】図１
2007022399.tif 000002
【特許請求の範囲】
【請求項１】
建設機械に搭載されるタンクであって、該タンクの少なくとも三面に、面の一端部から他端部にわたりそれぞれ連続して凹部または凸部を形成したことを特徴とする建設機械のタンク。
【請求項２】
上記タンクの凹部または凸部を設けていない一面に、リブを溶着したことを特徴とする請求項１記載の建設機械のタンク。
【請求項３】
建設機械に搭載されるタンクであって、該タンクの四面に、面の一端部から他端部にわたりそれぞれ連続して凹部または凸部を形成したことを特徴とする建設機械のタンク。
【発明の詳細な説明】
【技術分野】
【０００１】
本発明は建設機械のタンクに関するものであり、特に、強度アップさせるタンクの構造に関するものである。
【背景技術】
【０００２】
従来、主として油圧ショベルなどの建設機械には、燃料を蓄える燃料タンクや作動油を蓄える作動油タンクが搭載されている。此種建設機械のタンクは、ほぼ直方体形に金属板で形成され、タンクの内部に中仕切り板を設けてタンクの強度をあげるとともに、タンク内に蓄えられている燃料や作動油が建設機械の振動や衝撃などで大きく移動するのを防止して、エンジンや油圧機器へ良好に供給されるように構成されている。
【０００３】
例えば、箱型のタンク構造であって、外面板内部の仕切り板取り付け位置における空間部形状よりも、仕切り板の粗材切り板を大きい面積の多角形に形成し、その多角形外周辺のコーナー角部を直線または曲率半径の大なる円弧曲線の面取り状に切断し、その面取り状の辺を除く多角形の外周辺部の板面部を、外面板の内周面部に対して面接触させて固着するために、上記外周辺部を曲げ加工したものが知られている（特許文献１参照）。
【０００４】
また、中仕切り板の周縁部を折り曲げて、その折り曲げ部に凹部または凸部を形成し、タンク周壁に中仕切り板の前記凹部または凸部を係合させるための凸部または凹部を形成する。そして、中仕切り板に設けた前記凹部または凸部を、タンク周壁の凸部または凹部に係合させて、中仕切り板をタンク周壁に固定したタンク構造が知られている（特許文献２参照）。
【０００５】
図３に示すように、タンク１の内部に仕切り板を設けない構成では、内壁面に適宜大きさのリブ２を溶接にて固着することにより、強度の増加を図ることができる。あるいは、図４に示すように、タンク１の外壁面に凹部または凸部３を設けて、強度の増加を図る構成も考えられる。
【特許文献１】特開平８−１９２６４８号公報
【特許文献２】特開平９−２６３１４８号公報
【発明の開示】
【発明が解決しようとする課題】
【０００６】
特許文献１記載の発明は、仕切り板を多角形に形成してコーナー角部を面取り状に切断することにより、タンクに作用する負荷に対応して仕切り板の外周辺部の曲げ角度部分にクラックが発生するのを防止する。しかし、仕切り板の強度保持には寄与できるものの、タンク本体の強度は従前のものと変わらない。また、仕切り板のないタンク構造には対応できない。
【０００７】
特許文献２記載の発明は、中仕切り板の折り曲げ部とタンク周壁とに凹部または凸部を設けて係合可能にしてあるので、中仕切り板をタンク周壁内に押し込むだけで固定でき、タンク周壁などに薄肉部を生じさせない。しかし、特許文献１記載の発明と同様に、仕切り板のないタンク構造には対応できない。
【０００８】
図３に示す構成は仕切り板のないタンク構造にも対応できるが、リブの溶接はコストが高く、溶接不良に起因する強度低下や錆びの発生などの不具合が生じることがある。また、図４に示す構成も仕切り板のないタンク構造に対応できるが、外壁面の中央部のみに凹部または凸部を設けているので、強度の増加が十分ではなく効果が小さかった。
【０００９】
そこで、建設機械に搭載するタンクの強度を十分効果的に増加させ、リブの溶接をできる限り減少してコストアップを抑止するとともに、信頼性を向上させるために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、建設機械に搭載されるタンクであって、該タンクの少なくとも三面に、面の一端部から他端部にわたりそれぞれ連続して凹部または凸部を形成したことを特徴とする建設機械のタンクを提供する。
【００１１】
この構成によれば、タンクの少なくとも三面に、面の一端部から他端部にわたりそれぞれ連続して凹部または凸部が形成されているので、面の中央部だけに凹部または凸部を設けた従来の構成よりも面の強度が向上し、したがって、タンク全体の強度が増加する。もし、リブの溶着箇所を皆無にすれば、コストアップが抑止されるとともに、溶接不良に起因する不具合が解消される。
【００１２】
請求項２記載の発明は、上記タンクの凹部または凸部を設けていない一面に、リブを溶着したことを特徴とする請求項１記載の建設機械のタンクを提供する。
【００１３】
この構成によれば、上記タンクの凹部または凸部を設けていない一面に、リブを溶着して面の強度を増加してあり、複数の面にリブを溶着した従来の構成よりもリブの溶接箇所が減少する。
【００１４】
請求項３記載の発明は、建設機械に搭載されるタンクであって、該タンクの四面に、面の一端部から他端部にわたりそれぞれ連続して凹部または凸部を形成したことを特徴とする建設機械のタンクを提供する。
【００１５】
この構成によれば、タンクの四面に、面の一端部から他端部にわたりそれぞれ連続して凹部または凸部が形成されているので、請求項１記載の発明よりも面の強度が向上し、タンク全体の強度がより一層増加する。また、請求項１記載の発明と同様に、もし、リブの溶着箇所を皆無にすれば、コストアップが抑止されるとともに、溶接不良に起因する不具合が解消される。
【発明の効果】
【００１６】
本発明は、上述したように、タンクの少なくとも三面あるいは四面に、面の一端部から他端部にわたりそれぞれ連続して凹部または凸部が形成されているので、従来型よりも面の強度が向上してタンク全体の強度を増加することができる。また、リブを溶接する箇所を減少もしくは皆無にすることにより、コストアップを抑止することができる。かくして、建設機械に搭載するタンクの強度を十分効果的に増加でき、信頼性を向上することができる。
【発明を実施するための最良の形態】
【００１７】
以下、本発明に係る建設機械のタンクについて、好適な実施例をあげて説明する。建設機械に搭載するタンクの強度を十分効果的に増加させ、リブの溶接をできる限り減少してコストアップを抑止するとともに、信頼性を向上させるという目的を、建設機械に搭載されるタンクであって、該タンクの少なくとも三面に、面の一端部から他端部にわたりそれぞれ連続して凹部または凸部を形成したことにより実現した。
【実施例１】
【００１８】
図１は建設機械のタンクの一例として六面立方体のタンク１１を示し、（ａ）は一方向から見た斜視図、（ｂ）は他方向から見た斜視図、（ｃ）は一体に形成された上下側面の斜視図である。該タンク１１は、金属板を平面視大略コ字形に折り曲げて三つの側面１２，１３，１４が一体に形成された部材１１Ａと、金属板を正面視大略コ字形に折り曲げて上面１５と一側面１６と下面１７が一体に形成された部材１１Ｂとを組み合わせて、溶接にて立方体に形成されている。
【００１９】
部材１１Ａの三つの側面１２，１３，１４は、面の一端部から他端部にわたりそれぞれ連続して凹部または凸部が設けられている。本実施例では、それぞれの面のほぼ中央部をプレス成形などで内側へ押し出し、面の上端部から下端部にわたり連続して補強用の凹部１２ａ，１３ａ，１４ａが形成されている。一方、部材１１Ｂの上面１５には給油口１８が設けられ、下面１７にはドレンの配管取付穴１９が開穿されている。そして、部材１１Ｂの側面１６の内壁には補強用のリブ１６ａが溶接にて固着されている。
【００２０】
このように、図１に示すタンク１１は、少なくとも三つの側面１２，１３，１４に、面の上端部から下端部にわたりそれぞれ連続して凹部１２ａ，１３ａ，１４ａが形成され、凹部が設けられていない残りの側面には、内壁にリブ１６ａが溶着されている。したがって、面の中央部だけに凹部または凸部を設けた従来のタンクよりも面の強度が向上し、タンク１１全体の強度を増加することができる。また、複数の面にリブを溶着した従来のタンクに比較して、リブを溶着した面が一面のみであるため、リブの溶着箇所の減少により、コストアップが抑止されるとともに、溶接不良に起因する不具合が解消される。
【実施例２】
【００２１】
図２は建設機械のタンクの他の一例として六面立方体のタンク２１を示し、（ａ）は一方向から見た斜視図、（ｂ）は他方向から見た斜視図である。該タンク２１は、金属板を平面視大略コ字形に折り曲げて三つの側面２２，２３，２４が一体に形成された部材２１Ａと、金属板を正面視大略コ字形に折り曲げて上面２５と一側面２６と下面２７が一体に形成された部材２１Ｂとを組み合わせて、溶接にて立方体に形成されている。
【００２２】
部材２１Ａの三つの側面２２，２３，２４は、面の一端部から他端部にわたりそれぞれ連続して凹部または凸部が設けられている。本実施例では、それぞれの面のほぼ中央部をブレス成形などで内側へ押し出し、面の上端部から下端部にわたり連続して補強用の凹部２２ａ，２３ａ，２４ａが形成されている。一方、部材２１Ｂの上面２５には給油口２８が設けられている。そして、部材２１Ｂの側面２６は、面のほぼ中央部をプレス成形などで外側へ押し出し、面の左端部から右端部にわたり連続して補強用の凸部リブ２６ａが形成されている。
【００２３】
このように、図２に示すタンク２１は、四つの側面のうち三つの側面２２，２３，２４には、面の上端部から下端部にわたりそれぞれ連続して凹部２２ａ，２３ａ，２４ａが形成され、残り一つの側面２６には、面の左端部から右端部にわたり連続して凸部２６ａが形成されている。したがって、面の中央部だけに凹部または凸部を設けた従来のタンクよりも面の強度が向上し、タンク２１全体の強度を増加することができる。また、複数の面にリブを溶着した従来のタンクに比較して、リブを溶着した面がないため、リブの溶着によるコストアップが抑止されるとともに、溶接不良に起因する不具合が解消される。
【００２４】
かくして、建設機械に搭載するタンクの強度を十分効果的に増加でき、信頼性を向上することができる。
【００２５】
なお、本発明は、本発明の精神を逸脱しない限り種々の改変を為すことができ、そして、本発明が該改変されたものに及ぶことは当然である。
【図面の簡単な説明】
【００２６】
【図１】本発明に係る実施例１の説明図。
【図２】本発明に係る実施例２の説明図。
【図３】従来の一例を示す説明図。
【図４】従来の他の一例を示す説明図。
【符号の説明】
【００２７】
１１    タンク
１１Ａ  部材
１１Ｂ  部材
１２    側面
１２ａ  凹部
１３    側面
１３ａ  凹部
１４    側面
１４ａ  凹部
１５    上面
１６    側面
１６ａ  リブ
１７    下面
２１    タンク
２１Ａ  部材
２１Ｂ  部材
２２    側面
２２ａ  凹部
２３    側面
２３ａ  凹部
２４    側面
２４ａ  凹部
２５    上面
２６    側面
２６ａ  凸部
２７    下面
【図１】
2007022399.tif 000003
【図２】
2007022399.tif 000004
【図３】
2007022399.tif 000005
【図４】
2007022399.tif 000006